(57)【要約】【課題】編集対象のコンテンツの利用権の有無に応じて、編集情報の送信を制御することが可能な情報処理装置、制御方法、および記憶媒体を提供する。【解決手段】コンテンツデータに対する編集情報を受信する通信部と、前記編集情報を蓄積する蓄積部と、前記通信部を介して外部装置より受信する、前記編集情報を要求する要求情報に含まれる要求元の識別情報に対応するコンテンツ利用権に応じて、前記編集情報を前記外部装置に返信するか否かを制御する制御部と、を備える、情報処理装置。【選択図】図２
2015156606.tif 000002
【特許請求の範囲】
【請求項１】
コンテンツデータに対する編集情報を受信する通信部と、
前記編集情報を蓄積する蓄積部と、
前記通信部を介して外部装置より受信する、前記編集情報を要求する要求情報に含まれる要求元の識別情報に対応するコンテンツ利用権に応じて、前記編集情報を前記外部装置に返信するか否かを制御する制御部と、
を備える、情報処理装置。
【請求項２】
前記制御部は、前記通信部を介して受信した前記外部装置の機器情報に応じて、前記編集情報のフォーマットを変換する、請求項１に記載の情報処理装置。
【請求項３】
前記制御部は、前記通信部を介して受信する少なくとも一の外部装置からの編集情報の要求に応じて、複数の外部装置に対するそれぞれの編集情報を生成し、当該複数の外部装置に送信するよう制御する、請求項１に記載の情報処理装置。
【請求項４】
前記通信部は、クライアント装置で複数のコンテンツを用いて作成されたリミックスコンテンツの格納場所と、利用された前記複数のコンテンツの識別情報を受信し、
前記制御部は、当該複数のコンテンツの利用権を保有する前記外部装置から前記通信部を介して受信される、前記複数のコンテンツの利用権付きの前記リミックスコンテンツの再生要求に応じて、前記リミックスコンテンツの格納場所を示すリンク情報を、前記外部装置に返信するように制御する、請求項１に記載の情報処理装置。
【請求項５】
前記通信部は、クライアント装置から、編集情報としてのコンテンツ識別情報から成るプレイリストを受信し、
前記制御部は、前記通信部を介して外部装置より受信する、前記プレイリストを要求する要求情報に含まれる要求元の識別情報に対応するコンテンツ利用権に応じて、前記通信部を介して当該プレイリストを当該外部装置に返信するか否かを制御する、請求項１に記載の情報処理装置。
【請求項６】
特定のコンテンツデータに対応する編集情報を要求する要求情報をサーバ装置に送信する通信部と、
コンテンツデータの利用権を記憶する記憶部と、
前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、
を備える、情報処理装置。
【請求項７】
前記制御部は、前記編集情報としてのプレイリストの最適な視聴スケジュールを自動的に生成する、請求項６に記載の情報処理装置。
【請求項８】
前記制御部は、前記サーバ装置からソーシャルネットワークサーバに提供された前記編集情報の投稿記事に対して評価が入力されたことをトリガとして、前記サーバ装置に前記編集情報を要求するよう制御する、請求項６に記載の情報処理装置。
【請求項９】
前記制御部は、所望する編集情報が参照するコンテンツデータのうち、コンテンツ利用権がないコンテンツデータのコンテンツ利用権を取得するためのアクションをスケジューリングする、請求項６に記載の情報処理装置。
【請求項１０】
前記通信部を介して、
所定の編集情報の利用に必要なコンテンツ利用権を再生権管理サーバから取得し、
前記コンテンツ利用権を、前記所定の編集情報へのリンクとともに、特定のクライアント装置に送信する、請求項６に記載の情報処理装置。
【請求項１１】
コンテンツデータに対する編集情報を受信することと、
前記編集情報を蓄積することと、
外部装置より受信する、前記編集情報を要求する要求情報に含まれる要求元の識別情報に対応するコンテンツ利用権に応じて、前記編集情報を前記外部装置に返信するか否かを制御することと、
を含む、制御方法。
【請求項１２】
コンピュータを、
特定のコンテンツデータに対応する編集情報を要求する要求情報をサーバ装置に送信する通信部と、
コンテンツデータの利用権を記憶する記憶部と、
前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、
として機能させるためのプログラムが記憶された、記憶媒体。
【発明の詳細な説明】
【技術分野】
【０００１】
本開示は、情報処理装置、制御方法、および記憶媒体に関する。
【背景技術】
【０００２】
近年、録画・編集情報をネットワーク若しくは記憶媒体を介して共有し活用する技術が提案されている。例えば、下記特許文献１では、記録再生装置で編集した処理情報（編集情報およびメッセージ）を、他の記録再生装置にネットワーク経由で伝送することによって、複数の記録再生装置の間で編集機能情報を共有できる編集情報共有システムが開示されている。
【先行技術文献】
【特許文献】
【０００３】
【特許文献１】特開２００７−２７４５５７号公報
【発明の概要】
【発明が解決しようとする課題】
【０００４】
しかしながら、上述した編集情報共有システムでは、編集情報を共有する際に、編集対象のコンテンツの利用権を、編集情報の利用者が有しているか否かの判断は行われていなかった。コンテンツの再生や私的編集等を行うための利用権は、ユーザがコンテンツをネットワーク経由で、または記録媒体を介して正規に購入したり、若しくは正規にレンタルしたりすることで取得され得る。したがって、仮にこのような利用権の有無を、編集情報を提供する際に確認することができれば、編集情報の共有と共にコンテンツの利用権管理を行うことができ、編集情報共有システムの利便性がさらに向上する。
【０００５】
そこで、本開示では、編集対象のコンテンツの利用権の有無に応じて、編集情報の送信を制御することが可能な情報処理装置、制御方法、および記憶媒体を提案する。
【課題を解決するための手段】
【０００６】
本開示によれば、コンテンツデータに対する編集情報を受信する通信部と、前記編集情報を蓄積する蓄積部と、前記通信部を介して外部装置より受信する、前記編集情報を要求する要求情報に含まれる要求元の識別情報に対応するコンテンツ利用権に応じて、前記編集情報を前記外部装置に返信するか否かを制御する制御部と、を備える、情報処理装置を提案する。
【０００７】
本開示によれば、特定のコンテンツデータに対応する編集情報を要求する要求情報をサーバ装置に送信する通信部と、コンテンツデータの利用権を記憶する記憶部と、前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、を備える、情報処理装置を提案する。
【０００８】
本開示によれば、コンテンツデータに対する編集情報を受信することと、前記編集情報を蓄積することと、外部装置より受信する、前記編集情報を要求する要求情報に含まれる要求元の識別情報に対応するコンテンツ利用権に応じて、前記編集情報を前記外部装置に返信するか否かを制御することと、を含む、制御方法を提案する。
【０００９】
本開示によれば、コンピュータを、特定のコンテンツデータに対応する編集情報を要求する要求情報をサーバ装置に送信する通信部と、コンテンツデータの利用権を記憶する記憶部と、前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、として機能させるためのプログラムが記憶された、記憶媒体を提案する。
【発明の効果】
【００１０】
以上説明したように本開示によれば、編集対象のコンテンツの利用権の有無に応じて、編集情報の送信を制御することが可能となる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態による編集情報共有システムの概要を説明するための図である。
【図２】第１の実施形態による編集情報共有システムの各構成を示すブロック図である。
【図３】第１の実施形態による編集情報共有システムの動作処理を示すシーケンス図である。
【図４】第１の実施形態の変形例による編集情報共有システムの各構成を示すブロック図である。
【図５】第１の実施形態の変形例による編集情報共有システムの動作処理を示すシーケンス図である。
【図６】第２の実施形態による編集情報共有システムの各構成を示すブロック図である。
【図７】第２の実施形態による編集情報共有システムの動作処理を示すシーケンス図である。
【図８】第３の実施形態による編集情報共有システムの各構成を示すブロック図である。
【図９】第３の実施形態による編集情報共有システムの動作処理を示すシーケンス図である。
【図１０】第４の実施形態による情報共有システムの各構成を示すブロック図である。
【図１１】第４の実施形態による情報共有システムの動作処理を示すシーケンス図である。
【図１２】第５の実施形態による編集情報共有システムの各構成を示すブロック図である。
【図１３】第５の実施形態による編集情報共有システムの動作処理を示すシーケンス図である。
【図１４】第５の実施形態によるプレイリストの生成および視聴・録画スケジュールの生成について説明するための図である。
【図１５】第６の実施形態による編集情報共有システムの各構成を示すブロック図である。
【図１６】第６の実施形態による編集情報共有システムの動作処理を示すシーケンス図である。
【図１７】第７の実施形態による編集情報共有システムの主要構成を示すブロック図である。
【図１８】第７の実施形態による再生権獲得制御について説明するための図である。
【図１９】第８の実施形態による編集情報共有システムの主要構成を示すブロック図である。
【図２０】第８の実施形態による編集情報共有システムの動作処理を示すシーケンス図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による編集情報共有システムの概要
２．各実施形態
２−１．第１の実施形態
２−１−１．構成
２−１−２．動作処理
２−１−３．変形例
２−２．第２の実施形態
２−３．第３の実施形態
２−４．第４の実施形態
２−５．第５の実施形態
２−６．第６の実施形態
２−７．第７の実施形態
２−８．第８の実施形態
３．まとめ
【００１５】
＜＜１．本開示の一実施形態による編集情報共有システムの概要＞＞
まず、本開示の一実施形態による編集情報共有システムの概要について図１を参照して説明する。図１に示すように、本実施形態による編集情報共有システムは、編集情報提供者側の録画再生装置２Ａと、編集情報利用者側の録画再生装置２Ｂと、編集情報共有サーバ１と、がネットワーク４を介して接続されて構成される。
【００１６】
録画再生装置２Ａ、２Ｂは、例えば表示装置３Ａ、３Ｂとそれぞれ接続し、編集情報に基づいて編集処理されたコンテンツを表示装置３Ａ、３Ｂで再生する。
【００１７】
録画再生装置２Ａの使用者は、録画再生装置２Ａを用いて、録画等により保有する単一または複数のコンテンツを組み合わせて、部分再生、タイトルやキャプションの挿入、副音声の追加等の操作を行い、コンテンツを編集することができる。こうして作成されたコンテンツの編集情報は録画再生装置２Ａ内に保存され、また、編集情報共有サーバ１にアップロードされることで他の利用者に共有される。
【００１８】
編集情報共有サーバ１は、アップロードされた編集情報を格納し、他の録画再生装置２Ｂから閲覧・ダウンロードが可能な状態にする。
【００１９】
録画再生装置２Ｂの使用者は、編集情報共有サーバ１に格納されている編集情報のうち、所望する編集情報を録画再生装置２Ｂにダウンロードし、録画再生装置２Ｂは、当該編集情報に基づいて自身が保有するコンテンツを編集して再生する。
【００２０】
これにより、権限が制限されているコンテンツをアップロード・ダウンロードすることなく、コンテンツの実体を含まない編集情報のやり取りを行うことで、録画再生装置２Ａが編集したリミックスコンテンツを、録画再生装置２Ｂで再現することができる。
【００２１】
（背景）
ここで、従来は、編集対象のコンテンツの利用権を、録画再生装置２Ｂの使用者（編集情報利用者）が有しているか否かの確認は行われず、コンテンツの利用権の管理については考慮されていなかった。
【００２２】
そこで、本実施形態では、編集対象のコンテンツの利用権の有無に応じて編集情報の送信を制御することで、編集情報の共有と共にコンテンツの利用権管理を行い、編集情報共有システムの利便性をさらに向上させる。
【００２３】
また、本実施形態による編集情報共有システムにより、編集情報の利用者は、オリジナルのコンテンツを閲覧することに加えて、他者が編集した自分では作り得ないコンテンツを閲覧することもでき、コンテンツの楽しみ方がさらに増える。
【００２４】
また、コンテンツ提供者にとっては、編集情報に基づくリミックスコンテンツを再生するために必要なコンテンツを販売する機会が生じ、収益を上げることができる。
【００２５】
また、編集情報共有サーバの提供者（編集情報共有サービスの提供者）は、編集情報に基づいて再現されるリミックスコンテンツへの広告の挿入、編集情報やコンテンツ販売の仲介手数料等により収益を上げることができる。
【００２６】
以上、本開示の一実施形態による編集情報共有システムの概要について説明した。続いて、本開示による編集情報共有システムについて、複数の実施形態を挙げて具体的に説明する。なお、図１に示す例では、編集情報の提供者側／利用者側録画再生装置２がデジタルレコーダにより実現されているが、本開示はこれに限定されるものではなく、例えばオーディオ装置、家庭用ゲーム機、携帯電話、スマートフォン等であってもよい。
【００２７】
＜＜２．各実施形態＞＞
＜２−１．第１の実施形態＞
まず、第１の実施形態による編集情報共有システムについて図２〜図３を参照して説明する。
【００２８】
（２−１−１．構成）
図２は、第１の実施形態による編集情報共有システムの構成を示すブロック図である。図２に示すように、本実施形態による編集情報共有システムは、編集情報の提供者側録画再生装置２Ａ−１と、編集情報共有サーバ１−１と、編集情報の利用者側録画再生装置２Ｂ−１とを含む。
【００２９】
（提供者側録画再生装置）
提供者側録画再生装置２Ａ−１は、図２に示すように、主制御部２０ａ、操作ＵＩ（ユーザインタフェース）２１ａ、通信部２２ａ、予約情報記憶部２３ａ、編集情報ＤＢ２７ａ、コンテンツＤＢ２８ａ、および放送番組受信部２９ａを含む。
【００３０】
主制御部２０ａは、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリ、インタフェース部を備えたマイクロコンピュータにより構成され、提供者側録画再生装置２Ａの各構成を制御する。また、主制御部２０ａは、図２に示すように、編集制御部２１０ａ、録画制御部２２０ａ、予約制御部２３０ａ、および再生制御部２４０ａとして機能する。
【００３１】
編集制御部２１０ａは、操作ＵＩ２１ａから入力されたユーザによる編集操作に応じて、単一または複数のコンテンツの編集を行い、編集情報３２０を出力する。編集内容としては、例えば複数のコンテンツの部分再生、タイトルやキャプションの挿入、副音声、字幕の追加等が行われ得る。編集制御部２１０ａは、編集対象のコンテンツをコンテンツＤＢ２８ａから抽出し、また、作成した編集済みコンテンツをコンテンツＤＢ２８ａに格納する。また、編集制御部２１０ａは、編集済みコンテンツの実体を含まない編集情報３２０を編集情報ＤＢ２７ａに格納する。
【００３２】
ここで、編集情報３２０のデータ構成の一例について説明する。編集情報３２０は、「ソースコンテンツ情報」として対象コンテンツの情報を含む。対象コンテンツの情報とは、例えばソースコンテンツが放送番組の場合は番組識別情報、市販コンテンツの場合はタイトル情報等である。また、編集情報３２０は、「コンテンツ編集情報」として編集内容の情報を含む。編集内容の情報とは、例えばコンテンツ識別情報、再生開始・終了位置（タイムコード）、再生条件、キャプション、ＢＧＭ情報、エフェクト情報等である。なお、編集情報には、編集情報の概要を示す「編集情報カタログ」が付加されていてもよい。「編集情報カタログ」は、例えば編集情報のタイトル、編集情報の種別、編集情報のサムネール、再生時間、依存するコンテンツのリスト等が含まれる。編集情報カタログは、編集制御部２１０ａにより生成され、編集情報のタイトルはユーザが操作ＵＩ２１ａから入力することも可能である。
【００３３】
録画制御部２２０ａは、放送番組受信部２９ａによって受信された番組コンテンツ（放送番組）に対してデータ変換、エンコード／デコード処理等を行い、コンテンツＤＢ２８ａに番組コンテンツデータが記録（録画）されるようにする。また、録画制御部２２０ａは、操作ＵＩ２１ａから入力されたユーザによる録画操作、または予約制御部２３０ａによる制御に従って録画処理を行う。
【００３４】
予約制御部２３０ａは、録画制御部２２０ａによる録画処理の予約情報を登録するための機能部である。予約制御部２３０ａは、ユーザが操作ＵＩ２１ａから入力した番組予約に関する情報を受け取り、予約情報記憶部２３ａに記憶する。予約情報記憶部２３ａには、予約制御部２３０ａによって格納された番組予約情報が格納されており、例えば、チャンネル番号、録画開始／終了時間、番組名等が記録されている。また、予約制御部２３０ａは、予約情報記憶部２３ａに記憶した情報に従って、所定の放送番組を録画するよう録画制御部２２０ａを制御する。
【００３５】
再生制御部２４０ａは、コンテンツＤＢ２８ａに記憶されている番組コンテンツを表示装置３Ａ（図１参照）で再生するよう制御する。また、再生制御部２４０ａは、放送番組受信部２９ａで受信した番組コンテンツをリアルタイムで再生するよう制御してもよい。
【００３６】
操作ＵＩ（ユーザインタフェース）２１ａは、ユーザ操作を受け付ける操作入力部であって、例えばユーザが用いるコントローラから送信される入力情報を受信するコントローラ受信部であってもよい。
【００３７】
通信部２２ａは、外部装置と接続してデータの送受信を行う。例えば通信部２２ａは、ネットワーク４を介して編集情報共有サーバ１−１に編集情報３２０を送信する。
【００３８】
コンテンツＤＢ２８ａは、主にハードディスクによって構成される記録媒体で、放送番組受信部２９ａによって受信された番組コンテンツ等を格納するための記憶部である。
【００３９】
放送番組受信部２９ａは、放送局によって放送されるテレビ番組の番組コンテンツを受信アンテナや映像配信用のＩＰ網を通じて受信する。
【００４０】
（編集情報共有サーバ）
編集情報共有サーバ１−１は、図２に示すように、制御部１０、通信部１１、および編集情報ＤＢ１２を有する。
【００４１】
制御部１０は、編集情報共有サーバ１−１の各構成を制御する。例えば制御部１０は、通信部１１によって提供者側録画再生装置２Ａから受信した編集情報３２０を、編集情報ＤＢ１２に格納する。また、本実施形態による制御部１０は、閲覧処理部１１０およびマッチング部１２０として機能する。
【００４２】
閲覧処理部１１０は、他装置からの要求に応じて編集情報を検索し、検索した編集情報を他装置に閲覧させる機能を有する。また、閲覧処理部１１０は、検索／閲覧用の情報を編集情報カタログとして編集情報３２０に基づいて生成してもよい。また、閲覧処理部１１０は、編集情報３２０に編集情報カタログが既に付加されている場合、当該編集情報カタログを参照して編集情報カタログの不足項目を自動的に生成してもよい。
【００４３】
マッチング部１２０は、利用者側録画再生装置２Ｂ−１からの編集情報送信要求があった場合に、要求元（ユーザまたは録画再生装置２Ｂ−１）の識別情報に対応するコンテンツ利用権に応じて、編集情報３２０を返信するか否かを判断する。具体的には、マッチング部１２０は、要求された編集情報の利用に必要なコンテンツ利用権（編集対象コンテンツの利用権）を、要求元のユーザまたは録画再生装置２Ｂ−１が所有しているか否かを判断し、所有している場合には該当する編集情報３２０を返信する。このように本実施形態では、編集情報３２０を他装置の共有する際にコンテンツ利用権の管理も併せて行うことが可能である。
【００４４】
通信部１１は、外部装置と通信してデータの送受信を行う。例えば通信部１１は、提供者側録画再生装置２Ａから編集情報３２０を受信し、また、利用者側録画再生装置２Ｂからの要求に応じて編集情報３２０を送信する。なお利用者側録画再生装置２Ｂに送信される編集情報３２０には、編集情報カタログが付加されていてもよい。
【００４５】
（利用者側録画再生装置）
利用者側録画再生装置２Ｂ−１は、操作ＵＩ２１ｂ、主制御部２０ｂ、通信部２２ｂ、予約情報記憶部２３ｂ、編集情報ＤＢ２７ｂ、コンテンツＤＢ２８ｂ、および放送番組受信部２９ｂを有し、提供者側録画再生装置２Ａと同様の構成となっている。すなわち、本実施形態による提供者側録画再生装置２Ａおよび利用者側録画再生装置２Ｂは、同様の構成を有する録画再生装置により実現され、編集情報提供側としても、また、編集情報利用側としても機能する。
【００４６】
ここで、編集情報利用側として機能する場合、主制御部２０ｂは、編集情報共有サーバ１−１に対して編集情報の要求を行い、編集情報共有サーバ１−１から受信した編集情報３２０を編集情報ＤＢ２７ｂに格納する。また、再生制御部２４０ｂは、受信した編集情報３２０の再生に必要なコンテンツをコンテンツＤＢ２８ｂから抽出し、編集情報３２０に従って編集処理を行った上で再生するよう制御する。このように、本実施形態では、コンテンツの実体を送受信することなく、提供者側で編集処理されたコンテンツと同様に編集処理されたコンテンツを再生することができる。
【００４７】
以上、第１の実施形態による各構成について具体的に説明した。続いて、本実施形態による動作処理について図３を参照して説明する。
【００４８】
（２−１−２．動作処理）
図３は、第１の実施形態による編集情報共有システムの動作処理を示すシーケンス図である。図３に示すように、まず、ステップＳ１０３において、提供者側録画再生装置２Ａ−１は、放送番組の録画や市販コンテンツの購入、レンタル等により素材コンテンツを取得する。なお、このようにコンテンツを正規に取得することで、当該コンテンツの利用権も取得され得る。取得された素材コンテンツはコンテンツＤＢ２８ａに格納される。
【００４９】
次に、ステップＳ１０６において、編集制御部２１０ａは、ユーザによる編集操作に応じて、コンテンツＤＢ２８ａに格納された所定のコンテンツに対して編集処理を行う。
【００５０】
次いで、ステップＳ１０９において、編集制御部２１０ａは、コンテンツの編集内容を示す編集情報に対して、公開用のメタ情報を付与する。公開用のメタ情報とは、例えば編集情報のタイトルや種別、依存するコンテンツのリスト等であって、本実施形態では編集情報カタログとも称される。これら公開用のメタ情報は、ユーザが手動で入力したものを付与してもよいし、編集制御部２１０ａが自動で生成したものを付与してもよい。
【００５１】
次に、ステップＳ１１２において、提供者側録画再生装置２Ａは、通信部２２ａから編集情報を編集情報共有サーバ１−１に送信（アップロード）する。
【００５２】
次いで、ステップＳ１１５において、編集情報共有サーバ１−１は、通信部１１により編集情報を受信する。受信した編集情報は、編集情報ＤＢ１２に格納される。
【００５３】
次に、ステップＳ１１８において、閲覧処理部１１０は、編集情報検索／閲覧用情報を生成する。編集情報検索／閲覧用情報は、例えば検索のためのキーワードや閲覧のためのサムネール等であって、対象の編集情報から抽出して生成される。生成された編集情報検索／閲覧用情報は、編集情報に付加される編集情報カタログに含まれる。また、編集情報検索／閲覧用情報は、提供者側において編集情報に付与された公開用のメタ情報に基づいて生成されてもよい。
【００５４】
そして、ステップＳ１２１において、閲覧処理部１１０は、編集情報を検索／ダウンロード用に公開する。これにより、他の録画再生装置から、編集情報共有サーバ１−１にアクセスして編集情報のタイトル等の閲覧用情報を閲覧することができるので、他の録画再生装置の使用者は、タイトルや依存しているコンテンツリストを参照して利用したい編集情報を選ぶことができる。
【００５５】
続いて、ステップＳ１２４において、利用者側録画再生装置２Ｂは、公開されている編集情報の中から所望の編集情報の要求を編集情報共有サーバ１−１に対して行う。
【００５６】
次に、ステップＳ１２７において、編集情報共有サーバ１−１の制御部１０は、利用者側録画再生装置２Ｂからの要求に応じて、対象の編集情報を編集情報ＤＢ１２から検索する。
【００５７】
次いで、ステップＳ１３０において、マッチング部１２０は、要求対象の編集情報を再現するために必要なコンテンツ（依存しているコンテンツ）の利用権（本実施形態では特にコンテンツを再生して利用する権利のため再生権とも称す）を要求元が有しているか否かを判断する。具体的には、例えばマッチング部１２０は、要求元のユーザまたは利用者側録画再生装置２Ｂと紐付けられているコンテンツ再生権の情報を、再生権管理サーバ（不図示）から取得して参照する。
【００５８】
次に、マッチング部１２０による判断の結果、編集情報を再現するために必要なコンテンツの再生権を要求元が持っている場合（Ｓ１３３／Ｙｅｓ）、ステップＳ１３６において、制御部１０は、対象の編集情報を利用者側録画再生装置２Ｂに送信する。このように、本実施形態では、コンテンツ再生権の有無に応じて編集情報の送信を制御することで、編集情報の共有と共にコンテンツ再生権の管理も併せて行うことが可能である。
【００５９】
そして、ステップＳ１３９において、利用者側録画再生装置２Ｂ−１は、通信部２２ｂを介して編集情報共有サーバ１−１から編集情報を受信（ダウンロード）する。
【００６０】
次いで、ステップＳ１４２において、利用者側録画再生装置２Ｂ−１の再生制御部２４０ｂは、受信した編集情報に基づいてコンテンツを編集し、ステップＳ１４５において、表示装置３Ｂ等の各種出力装置で再生する。なお、Ｓ１４２とＳ１４５は適宜並行して実行される。このように、本実施形態では、コンテンツの実体を送受信することなく、提供者側で編集処理されたコンテンツと同様に編集処理されたコンテンツを利用者側で再生することができる。
【００６１】
一方、マッチング部１２０による判断の結果、編集情報を再現するために必要なコンテンツの再生権を要求元が持っていない場合（Ｓ１３３／Ｎｏ）、ステップＳ１４８において、編集情報共有サーバ１−１は、利用者側録画再生装置２Ｂ−１の要求に対して、再生禁止の旨を返信する。この場合、利用者側録画再生装置２Ｂ−１は、不足しているコンテンツ再生権を購入する手続きを再生権管理サーバ（不図示）に対して行う等してコンテンツを正規に取得し、再度、編集情報の取得要求を編集情報共有サーバ１−１に対して行ってもよい。
【００６２】
（２−１−３．変形例）
上述した第１の実施形態では、コンテンツ再生権の確認（マッチング）が編集情報共有サーバ１−１で行われているが、本開示による編集情報共有システムはこれに限定されず、コンテンツ再生権の確認（マッチング）が利用者側録画再生装置２Ｂ−１で行われてもよい。以下、第１の実施形態による変形例として図４および図５を参照して説明する。
【００６３】
（構成）
図４は、第１の実施形態の変形例による編集情報共有システムの各構成を示すブロック図である。図４に示すように、本変形例による編集情報共有システムは、提供者側録画再生装置２Ａ−１’と、利用者側録画再生装置２Ｂ−１’と、編集情報共有サーバ１−１’と、がネットワーク４を介して接続されて構成される。ここで、提供者側録画再生装置２Ａ−１’および利用者側録画再生装置２Ｂ−１’の構成は、図２を参照して説明した第１の実施形態による提供者側録画再生装置２Ａ−１および利用者側録画再生装置２Ｂ−１の構成と比較し、マッチング部２４２ａ、２４２ｂと、再生権ＤＢ２５ａ、２５ｂをさらに有する点が異なる。また、編集情報共有サーバ１−１’の構成は、第１の実施形態による編集情報共有サーバ１−１の構成と比較し、マッチング部１２０を有しない点が異なる。
【００６４】
利用者側録画再生装置２Ｂ−１’のマッチング部２４２ｂは、通信部２２ｂを介して編集情報共有サーバ１−１’から受信した編集情報３２０に付加される編集情報カタログ３２４を参照して、編集情報３２０を再現するために必要なコンテンツの再生権が再生権ＤＢ２５ｂに格納されているか否かを判断する。
【００６５】
そして、再生制御部２４０ｂは、マッチング部２４２ｂによる判断結果に応じて、編集情報３２０に基づいて編集されたコンテンツの再生を制御する。すなわち、再生制御部２４０ｂは、マッチング部２４２ｂにより、編集情報３２０が依存する（参照する）コンテンツの再生権が再生権ＤＢ２５ｂに格納されていると判断された場合、当該編集情報３２０に基づいてコンテンツを編集し、再生するよう制御する。一方、コンテンツの再生権が格納されていないと判断された場合、再生制御部２４０ｂは、当該編集情報３２０に基づくコンテンツの再生を禁止する。
【００６６】
以上、本変形例による構成について、上述した第１の実施形態と異なる部分について具体的に説明した。続いて、本変形例による動作処理について図５を参照して説明する。
【００６７】
（動作処理）
図５は、第１の実施形態の変形例による編集情報共有システムの動作処理を示すシーケンス図である。図５に示すステップＳ１０３〜Ｓ１２７の処理は、図３を参照して説明した同ステップの処理と同様であるので、ここでの説明は省略する。
【００６８】
次いで、ステップＳ１５０において、編集情報共有サーバ１−１’は、利用者側録画再生装置２Ｂ−１’の要求に応じて検索した編集情報およびこれに付加される編集情報カタログを返信する。
【００６９】
次に、ステップＳ１５３において、利用者側録画再生装置２Ｂ−１’は、通信部２２ｂを介して編集情報共有サーバ１−１’から編集情報を受信（ダウンロード）する。
【００７０】
次いで、ステップＳ１５６において、利用者側録画再生装置２Ｂ−１’のマッチング部２４２ｂは、受信した編集情報を再現するために必要なコンテンツの再生権が再生権ＤＢ２５ｂに格納されているか否かを判断する（マッチング）。
【００７１】
続いて、マッチング部２４２ｂによる判断の結果、編集情報を再現するために必要なコンテンツの再生権が格納されている場合（Ｓ１５９／Ｙｅｓ）、ステップＳ１６２において、再生制御部２４０ｂは、受信した編集情報に基づいてコンテンツを編集し、ステップＳ１６５において、表示装置３Ｂ等で再生する。
【００７２】
一方、マッチング部２４２ｂによる判断の結果、編集情報を再現するために必要なコンテンツの再生権が格納されていない場合（Ｓ１５９／Ｎｏ）、ステップＳ１６８において、主制御部２０ｂは、編集情報の再現に必要なコンテンツの収集を行う。具体的には、例えば主制御部２０ｂは、不足しているコンテンツ再生権を購入する手続きを再生権管理サーバ（不図示）に対して行ったり、市販コンテンツを購入したりすることで、コンテンツを正規に取得（収集）し、再度、マッチング部２４２ｂによる判断を行う。なお再生権購入の際は、ユーザに購入の意思を確認してから実行するようにしてもよい。
【００７３】
以上説明したように、本開示による提供情報共有システムでは、利用者側録画再生装置２Ｂ−１’が、編集情報に基づくコンテンツの再現に必要なコンテンツの再生権の有無を判断することも可能である。
【００７４】
＜２−２．第２の実施形態＞
続いて、本開示による第２の実施形態について図６〜図７を参照して説明する。本実施形態では、編集情報を再生する録画再生装置の機器情報（例えば録画再生装置の型式やバージョン情報）に応じて編集情報のフォーマットを最適なフォーマットに変換する。これにより、編集情報の形式が異なる録画再生装置間でも編集情報の相互利用が可能になる。
【００７５】
（２−２−１．構成）
図６は、第２の実施形態による編集情報共有システムの各構成を示すブロック図である。図６に示すように、第２の実施形態による編集情報共有システムは、提供者側録画再生装置２Ａ−１と、利用者側録画再生装置２Ｂ−１と、編集情報共有サーバ１−２と、がネットワーク４を介して接続されて構成される。
【００７６】
提供者側録画再生装置２Ａ−１および利用者側録画再生装置２Ｂ−１の構成は、図２を参照して説明した第１の実施形態と同様であるのでここでの説明は省略する。
【００７７】
編集情報共有サーバ１−２は、制御部１０−２、編集情報ＤＢ１２、および通信部１１を有する。制御部１０−２は、図６に示すように、閲覧処理部１１０、マッチング部１２０、および編集情報変換部１３０として機能する。閲覧処理部１１０およびマッチング部１２０の機能は第１の実施形態と同様であるので、ここでの説明は省略する。
【００７８】
編集情報変換部１３０は、利用者側録画再生装置２Ｂ−１から編集情報取得要求と共に送信された機器情報３３０に基づいて、利用者側録画再生装置２Ｂ−１に送信する編集情報を、利用者側録画再生装置２Ｂ−１の種類、機能、特性、使用可能なオンラインチャンネル等に合わせてフォーマット変換する。例えば、編集情報変換部１３０は、編集情報の書式変換、特定の機能（フォントやエフェクト）を利用者側録画再生装置２Ｂ−１が有しない場合は似た他の機能（近いフォントやエフェクト）への変換や削除等を行う。さらに具体例を以下に挙げる。
【００７９】
（ａ）適正コンテンツソースの選択；編集情報が特定のコンテンツの一部を使用している場合、要求元の利用者側録画再生装置２Ｂ−１が所定のコンテンツ配信サービスと契約していれば、編集情報変換部１３０は、当該サービスで配信されるコンテンツＩＤとその再生開始位置情報などを編成に加える。また、複数のコンテンツソース候補を提示して、ユーザに選択させてもよい。
【００８０】
（ｂ）ユーザの録画番組を使用する場合の等価番組への変換；地域の違いなどにより、編集情報作成者が設定した番組は受信できないが、等価な番組を選択できる場合、編集情報変換部１３０は、その番組ＩＤへ変換する。
【００８１】
（２−２−２．動作処理）
続いて、第２の実施形態による動作処理について図７を参照して説明する。図７は、第２の実施形態による編集情報共有システムの動作処理を示すシーケンス図である。図７に示すステップＳ１０３〜Ｓ１２１の処理は、図３を参照して説明した同ステップの処理と同様であるので、ここでの説明は省略する。
【００８２】
次いで、ステップＳ２００において、利用者側録画再生装置２Ｂ−１は、編集情報共有サーバ１−２に対して、機器情報を伴って編集情報の検索要求を行う。
【００８３】
次に、ステップＳ１２７において、編集情報共有サーバ１−２の制御部１０−２は、利用者側録画再生装置２Ｂ−１からの要求に応じて、対象の編集情報を編集情報ＤＢ１２から検索する。
【００８４】
次いで、ステップＳ１３０において、マッチング部１２０は、検索された編集情報が依存するコンテンツの再生権を要求元が有しているか否かを判断する。
【００８５】
次に、編集情報を再現するために必要なコンテンツの再生権を要求元が持っている場合（Ｓ１３３／Ｙｅｓ）、ステップＳ２０３において、編集情報変換部１３０は、対象の編集情報を、利用者側録画再生装置２Ｂ−１の機器情報に基づいて最適な編集情報に変換する。
【００８６】
次いで、ステップＳ２０６において、制御部１０−２は、変換済編集情報を利用者側録画再生装置２Ｂ−１に送信する。
【００８７】
そして、ステップＳ２０９において、利用者側録画再生装置２Ｂ−１は、通信部２２ｂを介して編集情報共有サーバ１−２から変換済編集情報を受信（ダウンロード）する。
【００８８】
次いで、ステップＳ２１２において、利用者側録画再生装置２Ｂ−１の再生制御部２４０ｂは、受信した変換済編集情報に基づいてコンテンツを編集し、ステップＳ２１５において、表示装置３Ｂ等の各種出力装置で再生する。
【００８９】
以上説明したように、第２の実施形態によれば、利用者側録画再生装置２Ｂ−１の機能や特性に応じた最適な編集情報に変換することが可能である。
【００９０】
＜２−３．第３の実施形態＞
次に、本開示による第３の実施形態について図８〜図９を参照して説明する。本実施形態では、編集情報を再生する録画再生装置が複数連携して動作する場合、複数の録画再生装置用の編集情報に変換する。これにより、複数の録画再生装置で編集情報をより効果的に再現することができる。
【００９１】
（２−３−１．構成）
図８は、第３の実施形態による編集情報共有システムの各構成を示すブロック図である。図８に示すように、第３の実施形態による編集情報共有システムは、提供者側録画再生装置２Ａ−１と、複数の利用者側録画再生装置２Ｂ−１ｘ、２Ｂ−１ｙと、編集情報共有サーバ１−３と、がネットワーク４を介して接続されて構成される。
【００９２】
提供者側録画再生装置２Ａ−１および利用者側録画再生装置２Ｂ−１ｘ、２Ｂ−１ｙの構成は、図２を参照して説明した第１の実施形態と同様であるのでここでの説明は省略する。なお、利用者側録画再生装置２Ｂ−１ｘ、２Ｂ−１ｙは、表示装置（ディスプレイ）や音声出力装置（スピーカ）等のＡＶ機器からの再生出力を制御する装置に限定されず、照明や、エアコンディショナー等からの出力を制御する装置であってもよい。
【００９３】
編集情報共有サーバ１−３は、制御部１０−３、編集情報ＤＢ１２、および通信部１１を有する。制御部１０−３は、図８に示すように、閲覧処理部１１０、マッチング部１２０、編集情報変換部１３２、および振り分け部１４０として機能する。閲覧処理部１１０およびマッチング部１２０の機能は第１の実施形態と同様であるので、ここでの説明は省略する。
【００９４】
編集情報変換部１３２は、利用者側録画再生装置２Ｂ−１から編集情報取得要求と共に送信された機器情報３３０および複数の利用者側録画再生装置の連携を示す連携情報（リンク情報）３４０に基づいて、編集情報を連携用に変換する。ここで、編集情報は、複数の録画再生装置で再生されることを予め考慮して作られていてもよいし、考慮されていなくともよい。考慮されていない場合でも、例えばビデオコンテンツの場合、音声と画像は分離して出力できるので、連携用に変換することが可能である。以下、連携用の編集情報変換について具体例を挙げる。
【００９５】
（Ａ）複数の表示パネルを使用可能な場合、マルチスクリーン対応の情報に変換；編集情報変換部１３２は、メイン・サブそれぞれの録画再生装置に個別に割り当てるよう編集情報を変換（分割）する。例えば家の壁に複数のテレビ画面が配列されている場合、各テレビ画面が連携して映像を出力できるよう、編集情報変換部１３２は、個別の再生情報（編集情報）に変換する。
【００９６】
（Ｂ）照明、エアコンディショナー、タブレットなどマルチデバイス連携；編集情報が依存するコンテンツのメタデータを元に、連携するデバイス（各種出力装置）の機能や特性に応じた再生情報（編集情報）を提供する。例えば、編集情報変換部１３０は、コンテンツがホラー系であれば、照明装置に対しては照明を暗くする情報を加えた編集情報に変換し、エアコンディショナーに対しては温度を低くする情報を加えた編集情報に変換する。また、タブレット端末やスマートフォンに対しては所定のタイミングで効果音を発生させる情報を加えた編集情報に変換する。
【００９７】
振り分け部１４０は、利用者側録画再生装置２Ｂ−１ｘ／２Ｂ−１ｙから送信された複数の装置間の連携を示す連携情報に基づいて、各装置への変換済編集情報の振り分け（送信）を制御する。連携情報には、連携している他の機器を示す情報や、連携機器との配置位置関係等が含まれる。
【００９８】
（２−３−２．動作処理）
続いて、第３の実施形態による動作処理について図９を参照して説明する。図９は、第３の実施形態による編集情報共有システムの動作処理を示すシーケンス図である。図９に示すステップＳ１１５〜Ｓ１２１の処理は、図３を参照して説明した同ステップの処理と同様であるので、ここでの説明は省略する。また、ステップＳ１１５の前に、図３に示すステップＳ１０３〜Ｓ１１２の処理が行われているが、図９では図示を省略している。
【００９９】
次いで、ステップＳ２０１−１、Ｓ２０１−２において、利用者側録画再生装置２Ｂ−１ｘ、２Ｂ−１ｙは、機器情報および連携情報を伴って、編集情報共有サーバ１−３に対して編集情報の検索要求を行う。なお、図９に示す例では、利用者側録画再生装置２Ｂ−１ｘ、２Ｂ−１ｙがそれぞれ検索要求を行っているが、少なくとも一つの利用者側録画再生装置２Ｂ−１ｘ／２Ｂ−１ｙが代表して検索要求を行ってもよい。
【０１００】
次に、ステップＳ１２７〜Ｓ１３３において、編集情報共有サーバ１−３の制御部１０−３は、利用者側録画再生装置２Ｂ−１ｘ、２Ｂ−１ｙからの要求に応じて、編集情報の検索および再生権のマッチングを行う。
【０１０１】
続いて、編集情報を再現するために必要なコンテンツの再生権を要求元が持っている場合（Ｓ１３３／Ｙｅｓ）、ステップＳ２０４において、編集情報変換部１３２は、対象の編集情報を、複数の利用者側録画再生装置２Ｂ−１ｘ、２Ｂ−１ｙの機器情報および連携情報に基づいて、編集情報を連携用に変換する。
【０１０２】
次に、ステップＳ２０５において、振り分け部１４０は、連携情報を参照して、変換された編集情報をどの利用者側録画再生装置に送信するかの振り分けを行う。
【０１０３】
次いで、ステップＳ２０７において、制御部１０−３は、振り分け部１４０により各装置に振り分けられた変換済編集情報を、各利用者側録画再生装置２Ｂ−１ｘ、２Ｂ−１ｙにそれぞれ送信する。
【０１０４】
そして、ステップＳ２０９−１、Ｓ２０９−２において、利用者側録画再生装置２Ｂ−１ｘ、２Ｂ−１ｙは、それぞれ変換済編集情報を受信（ダウンロード）する。
【０１０５】
次いで、ステップＳ２１２−１、Ｓ２１２−２において、利用者側録画再生装置２Ｂ−１ｘ、２Ｂ−１ｙは、受信した変換済編集情報に基づいてコンテンツを編集し、続くステップＳ２１５−１、Ｓ２１５−２において、それぞれ再生制御を行う。なお再生を開始する際は、各利用者側録画再生装置２Ｂ−１ｘ、２Ｂ−１ｙが相互通信を行って開始タイミングを合わせてもよいし、代表する一の利用者側録画再生装置２Ｂ−１ｘ／２Ｂ−１ｙが連携する他の装置における再生を制御してもよい。
【０１０６】
以上説明したように、第３の実施形態によれば、複数の利用者側録画再生装置２Ｂ−１ｘ、２Ｂ−１ｙ用に変換された編集情報に基づいて、複数の利用者側録画再生装置２Ｂ−１ｘ、２Ｂ−１ｙで連携して編集情報を再現することができる。
【０１０７】
なお上述した動作処理では、編集情報の検索要求を行う際に録画再生装置の機器情報および連携情報を送信しているが、ユーザが所有する複数の装置の機器情報や連携情報が、編集情報共有サーバ１−３若しくは所定の管理サーバに蓄積されている場合、各録画再生装置が送信する必要はない。
【０１０８】
＜２−４．第４の実施形態＞
続いて、本開示による第４の実施形態について図１０〜図１１を参照して説明する。本実施形態では、提供者側録画再生装置２Ａ−４が複数のコンテンツを用いて編集したリミックスコンテンツがネットワーク上に蓄積され、編集情報共有サーバ１−４は、利用者側録画再生装置２Ｂ−４からのリミックスコンテンツ再生要求に応じてリミックスコンテンツの格納場所情報を返信する。利用者側録画再生装置２Ｂ−４は、取得した格納場所情報に基づいてネットワーク上のリミックスコンテンツにアクセスしてストリーミング再生する。これにより、リミックスコンテンツの実体を送受信することなく、提供者側で編集処理されたリミックスコンテンツを利用者側録画再生装置２Ｂ−４で再生することができる。
【０１０９】
さらに、本実施形態では、利用者側録画再生装置２Ｂ−４がコンテンツの再生権を有し、リミックスコンテンツの再生要求と共に再生権情報を編集情報共有サーバ１−４に送信する。編集情報共有サーバ１−４は、送信された再生権情報と、要求対象のリミックスコンテンツの構成情報とに基づいてマッチングを行い、要求元がリミックスコンテンツを構成するコンテンツの再生権を有していると判断できた場合に、リミックスコンテンツの格納場所情報を返信する。このように、本実施形態では、利用者側録画再生装置２Ｂ−４が、オリジナルコンテンツの再生権を有している場合に、当該再生権を利用してオリジナルコンテンツに基づいて作成されたリミックスコンテンツも再生することが可能となる。
【０１１０】
（２−４−１．構成）
図１０は、第４の実施形態による情報共有システムの各構成を示すブロック図である。図１０に示すように、第４の実施形態による情報共有システムは、提供者側録画再生装置２Ａ−４と、利用者側録画再生装置２Ｂ−４と、編集情報共有サーバ１−４と、がネットワーク４を介して接続されて構成される。
【０１１１】
提供者側録画再生装置２Ａ−４および利用者側録画再生装置２Ｂ−４の構成は同様であるので、図１０では提供者側録画再生装置２Ａ−４の構成の図示は省略する。
【０１１２】
また、本実施形態による提供者側録画再生装置２Ａ−４は、複数のコンテンツに基づいて作成したリミックスコンテンツ３５０をコンテンツサーバ５に送信する。コンテンツサーバ５は、図１０に示すように、制御部５０、通信部５１、およびリミックスコンテンツＤＢ５２を有する。制御部５０は、通信部５１を介して提供者側録画再生装置２Ａ−４から受信したリミックスコンテンツ３５０を、リミックスコンテンツＤＢ５２に格納する。
【０１１３】
また、提供者側録画再生装置２Ａ−４は、作成したリミックスコンテンツが依存するコンテンツのリストを示す構成情報３６０と、リミックスコンテンツの格納場所情報３７０を、編集情報共有サーバ１−４に送信する。リミックスコンテンツの格納場所情報３７０は、コンテンツサーバ５のリミックスコンテンツＤＢ５２に格納された対象リミックスコンテンツ３５０の格納場所を示す情報である。
【０１１４】
利用者側録画再生装置２Ｂ−４は、図１０に示すように、主制御部２０ｂ、操作ＵＩ２１ｂ、通信部２２ｂ、予約情報記憶部２３ｂ、再生権ＤＢ２５、編集情報ＤＢ２７ｂ、コンテンツＤＢ２８ｂ、および放送番組受信部２９ｂを有する。
【０１１５】
再生権ＤＢ２５ｂは、各種コンテンツの再生権情報が格納されている。再生権情報は、コンテンツＤＢ２８ｂに格納されるコンテンツを正規に取得した際に併せて取得されたり、コンテンツ配信サービスを利用してチケットとして購入されたりする。
【０１１６】
利用者側録画再生装置２Ｂ−４の再生権ＤＢ２５ｂ以外の構成は第１の実施形態と同様であるので、ここでの説明を省略する。
【０１１７】
編集情報共有サーバ１−４は、図１０に示すように、制御部１０−４、通信部１１、編集情報ＤＢ１２、およびコンテンツ関連情報ＤＢ１４を有する。
【０１１８】
制御部１０−４は、提供者側録画再生装置２Ａ−４から送信された構成情報３６０と、リミックスコンテンツの格納場所情報３７０を受信し、コンテンツ関連情報ＤＢ１４に記憶する。
【０１１９】
また、制御部１０−４は、閲覧処理部１１０およびマッチング部１２０ａとして機能する。マッチング部１２０ａは、通信部１１を介して利用者側録画再生装置２Ｂ−４から送信されたリミックスコンテンツの再生要求に応じて、要求されたリミックスコンテンツの元となった複数のオリジナルコンテンツと、再生要求と共に送信された再生権情報３８０とのマッチングを行う。
【０１２０】
制御部１０−４は、マッチング部１２０ａの判断結果に応じて、リミックスコンテンツの格納場所情報３７０を、再生要求元の利用者側録画再生装置２Ｂ−４に送信するか否かを制御する。すなわち、制御部１０−４は、リミックスコンテンツの元となった複数のオリジナルコンテンツの再生権を要求元が有していると判断した場合は、リミックスコンテンツの格納場所情報３７０を、再生要求元の利用者側録画再生装置２Ｂ−４に送信する。
【０１２１】
（２−４−２．動作処理）
続いて、第４の実施形態による動作処理について図１１を参照して説明する。図１１は、第４の実施形態による情報共有システムの動作処理を示すシーケンス図である。
【０１２２】
図１１に示すように、まず、ステップＳ３０３において、提供者側録画再生装置２Ａ−４は、複数の素材コンテンツを取得する。
【０１２３】
次に、ステップＳ３０６において、提供者側録画再生装置２Ａ−４は、ユーザによる編集操作に応じて、複数の素材コンテンツ（オリジナルコンテンツ）に対して編集処理を行い、リミックスコンテンツを作成する。
【０１２４】
次いで、ステップＳ３０９において、提供者側録画再生装置２Ａ−４は、リミックスコンテンツの編集内容を示す編集情報に対して、公開用のメタ情報を付与する。この際、公開用のメタ情報として、依存するコンテンツのリスト（構成情報）も生成される。
【０１２５】
次に、ステップＳ３１２において、提供者側録画再生装置２Ａ−４は、リミックスコンテンツをコンテンツサーバ５に送信（アップロード）して格納する。
【０１２６】
次いで、ステップＳ３１３において、コンテンツサーバ５は、通信部５１からリミックスコンテンツ３５０を受信し、ステップＳ３１４において、リミックスコンテンツＤＢ５２に受信したリミックスコンテンツ３５０を格納する。
【０１２７】
続いて、ステップＳ３１５において、提供者側録画再生装置２Ａ−４は、リミックスコンテンツの構成情報、およびコンテンツサーバ５に格納したリミックスコンテンツ３５０の格納場所情報を、編集情報共有サーバ１−４に送信（アップロード）する。なお、提供者側録画再生装置２Ａ−４は、これら構成情報および格納場所情報を含む編集情報カタログを送信してもよい。
【０１２８】
次に、ステップＳ３１６において、編集情報共有サーバ１−４は、通信部１１により提供者側録画再生装置２Ａ−４から構成情報およびリミックスコンテンツの格納場所情報を受信する。受信した構成情報および格納場所情報は、コンテンツ関連情報ＤＢ１４に格納される。
【０１２９】
次いで、ステップＳ３１８において、閲覧処理部１１０は、構成情報（または構成情報を含む編集情報カタログ）検索／閲覧用情報を生成する。
【０１３０】
そして、ステップＳ３２１において、閲覧処理部１１０は、構成情報（または構成情報を含む編集情報カタログ）を検索／ダウンロード用に公開する。
【０１３１】
続いて、ステップＳ３２４において、利用者側録画再生装置２Ｂ−４は、公開されている構成情報（または構成情報を含む編集情報カタログ）の中から所望の構成情報に紐付けられるリミックスコンテンツの再生要求を編集情報共有サーバ１−４に対して行う。この際、利用者側録画再生装置２Ｂ−４は、構成情報を参照してリミックスコンテンツの作成に用いられた複数のオリジナルコンテンツの再生権情報を伴って再生要求を行う。
【０１３２】
次に、ステップＳ３２７において、編集情報共有サーバ１−４の制御部１０−４は、利用者側録画再生装置２Ｂ−４からの要求に応じて、対象の構成情報をコンテンツ関連情報ＤＢ１４から検索する。
【０１３３】
次いで、ステップＳ３３０において、マッチング部１２０ａは、要求対象の構成情報で示されるコンテンツ（リミックスコンテンツを再現するために必要なコンテンツ）の再生権を要求元が有しているか否かを判断する。具体的には、マッチング部１２０ａは、利用者側録画再生装置２Ｂ−４から送信された再生権情報に基づいて、必要なコンテンツの再生権を要求元が有しているか否かを判断する。
【０１３４】
次に、マッチング部１２０により必要なコンテンツの再生権を要求元が持っていると判断されると、ステップＳ３３３において、制御部１０−４は、対象のリミックスコンテンツの格納場所情報を利用者側録画再生装置２Ｂ−４に送信する。
【０１３５】
そして、ステップＳ３３６において、利用者側録画再生装置２Ｂ−４の再生制御部２４０ｂは、編集情報共有サーバ１−４から送信された格納場所情報に基づいてコンテンツサーバ５にアクセスし、リミックスコンテンツのストリーミング再生を行う。
【０１３６】
以上説明したように、第４の実施形態によれば、利用者側録画再生装置２Ｂ−４が再生権を所有する場合に、リミックスコンテンツの再生要求と共に複数のオリジナルコンテンツの再生権情報を編集情報共有サーバ１−４に送信し、リミックスコンテンツの格納場所情報を取得することができる。また、リミックスコンテンツの格納場所情報を共有し、利用者側録画再生装置２Ｂ−４が格納場所情報に基づいてアクセスしてストリーミング再生を行うことで、リミックスコンテンツの実体を送受信することなく、利用者側録画再生装置２Ｂ−４でリミックスコンテンツを再生することが可能である。
【０１３７】
＜２−５．第５の実施形態＞
次に、本開示による第５の実施形態について図１２〜図１４を参照して説明する。上述した各実施形態では、一又は複数のコンテンツに対する編集内容として編集情報が用いられているが、本開示による編集情報はこれに限定されず、例えば生放送番組や録画番組、ＰＰＶ（Ｐａｙ  Ｐｅｒ  Ｖｉｅｗ）コンテンツ等のプレイリストを編集情報として用いてもよい。以下に説明する第５の実施形態では、プレイリストを編集情報とした場合に、取得したプレイリストに応じて自動的にユーザの生活パターン等に応じた最適な視聴スケジュール（録画・再生スケジュール）を生成することができる。
【０１３８】
（２−５−１．構成）
図１２は、第５の実施形態による編集情報共有システムの各構成を示すブロック図である。図１２に示すように、第５の実施形態による編集情報共有システムは、提供者側録画再生装置２Ａ−５と、利用者側録画再生装置２Ｂ−５と、編集情報共有サーバ１−１と、がネットワーク４を介して接続されて構成される。
【０１３９】
提供者側録画再生装置２Ａ−５および利用者側録画再生装置２Ｂ−５の構成は同様であるので、図１２では提供者側録画再生装置２Ａ−５の構成の図示は省略する。
【０１４０】
また、本実施形態による提供者側録画再生装置２Ａ−５は、ユーザによるコンテンツ選択操作に応じて複数のコンテンツを含むプレイリストを生成し、生成したプレイリストを編集情報３２６として編集情報共有サーバ１−１に送信する。編集情報共有サーバ１−１の構成は、図２を参照して説明した第１の実施形態による編集情報共有サーバ１−１と同様であるので、ここでの詳細な説明は省略する。
【０１４１】
なお、ここでは提供者側録画再生装置２Ａ−５でプレイリストを生成し、利用者側録画再生装置２Ｂ−５でプレイリストに基づいて視聴スケジュールを自動生成する場合について説明するが、本実施形態はこれに限定ない。例えば、自身で生成したプレイリストに基づいて視聴スケジュールが自動生成されてもよい。すなわち、録画再生装置２の使用者は、自分で生成したプレイリストに基づいて視聴スケジュールを自動生成させることも可能である。
【０１４２】
利用者側録画再生装置２Ｂ−５は、図１２に示すように、主制御部２０ｂ−５、操作ＵＩ２１ｂ、通信部２２ｂ、予約情報記憶部２３ｂ、編集情報ＤＢ２７ｂ、コンテンツＤＢ２８ｂ、放送番組受信部２９ｂ、生活パターン情報ＤＢ３１ｂ、放送番組表ＤＢ３２ｂ、および編成ルールＤＢ３３ｂを有する。操作ＵＩ２１ｂ、通信部２２ｂ、予約情報記憶部２３ｂ、編集情報ＤＢ２７ｂ、コンテンツＤＢ２８ｂ、および放送番組受信部２９ｂは、第１の実施形態と同様であるので、ここでの詳細な説明は省略する。
【０１４３】
また、生活パターン情報ＤＢ３１ｂは、例えばユーザの視聴時間、視聴番組（再生コンテンツ）等の履歴に基づくパターンを記憶する。具体的には、例えば毎週金曜日の２１時からはＹＹ番組を視聴する、平日は毎日ＷＷ番組を視聴する、土曜〜木曜の視聴は２４時まで、といった生活における視聴パターンが記憶される。また、上述した視聴パターンの他、起床時間、就寝時間、食事時間、入浴時間、外出時間等のパターンも記憶され得る。起床・就寝、食事、入浴、外出等の時間は、操作ＵＩ２１ｂからユーザにより手動で入力されてもよいし、ユーザのスケジュール情報から取得されてもよい。
【０１４４】
放送番組表ＤＢ３２ｂは、放送局から送出され、受信アンテナやＩＰ網を通じて取得した放送番組表（ＥＰＧ；Ｅｌｅｃｔｒｏｎｉｃ  Ｐｒｏｇｒａｍ  Ｇｕｉｄｅ）を格納する。編成ルールＤＢ３３ｂは、視聴・録画スケジュール生成部２５０ｂが視聴スケジュールを生成する際に参照される編成ルールを格納する。編成ルールとは、例えば生放送番組の場合はリアルタイムでの視聴を優先し、映画、ドラマ、スポーツ等は連続視聴を優先するといったものである。
【０１４５】
主制御部２０ｂ−５は、編集制御部２１０ｂ、録画制御部２２０ｂ、予約制御部２３０ｂ、再生制御部２４０ｂ、および視聴・録画スケジュール生成部２５０ｂとして機能する。
【０１４６】
視聴・録画スケジュール生成部２５０ｂは、編集情報共有サーバ１−１から編集情報３２６として取得したプレイリストに基づいて、視聴（再生）・録画スケジュールを生成する機能を有する。具体的には、視聴・録画スケジュール生成部２５０ｂは、編集情報共有サーバ１−１から編集情報３２６として受信したプレイリストに含まれるコンテンツの視聴スケジュールを、生活パターン情報ＤＢ３１ｂを参照して把握されるユーザの生活パターンに応じて自動的に生成する。この際、視聴時間が重複する放送番組については録画を行う必要もあるので、視聴・録画スケジュール生成部２５０ｂは、併せて録画スケジュールも生成する。
【０１４７】
（２−５−２．動作処理）
続いて、第５の実施形態による動作処理について図１３を参照して説明する。図１３は、第５の実施形態による編集情報共有システムの動作処理を示すシーケンス図である。図１３に示すように、まず、ステップＳ４０３において、提供者側録画再生装置２Ａ−５は、素材コンテンツを取得する。
【０１４８】
次に、ステップＳ４０６において、提供者側録画再生装置２Ａ−４は、ユーザによるコンテンツの編集操作（選択操作）に応じて、プレイリスト（編集情報３２６）を生成する。ここで、図１４を参照してプレイリストの生成について説明する。図１４は、本実施形態によるプレイリストの生成および視聴・録画スケジュールの生成について説明するための図である。
【０１４９】
ユーザは、図１４左に示すように、例えば放送番組表４０から番組４１、４２、４３、４５と、さらにネットレンタル可能な映画４４を選択してプレイリストを生成することが可能である。
【０１５０】
次いで、ステップＳ４０９において、提供者側録画再生装置２Ａ−４は、プレイリストの内容を示す公開用のメタ情報を付与する。例えば、プレイリストに含まれるコンテンツのリストや種別がメタ情報として付与される。
【０１５１】
次に、ステップＳ４１２において、提供者側録画再生装置２Ａ−４は、プレイリストを編集情報３２６として編集情報共有サーバ１−１に送信（アップロード）する。
【０１５２】
続いて、ステップＳ４１５において、編集情報共有サーバ１−１は、提供者側録画再生装置２Ａ−５から編集情報（プレイリスト）３２６を受信する。
【０１５３】
次いで、ステップＳ４１８において、編集情報共有サーバ１−１は、編集情報検索／閲覧用情報を生成する。
【０１５４】
そして、ステップＳ４２１において、編集情報共有サーバ１−１は、編集情報３２６を検索／ダウンロード用に公開する。
【０１５５】
続いて、ステップＳ４２４において、利用者側録画再生装置２Ｂ−５は、編集情報（プレイリスト）検索要求を編集情報共有サーバ１−１に対して行う。ここで検索要求を行う編集情報は、公開されている編集情報の中からユーザが任意に選択してもよいし、利用者側録画再生装置２Ｂ−５がユーザの嗜好情報に基づいて自動的に選択してもよい。ユーザの嗜好情報は、例えばユーザの視聴・再生履歴およびユーザの生活パターン（視聴パターン）を分析して得られる。
【０１５６】
次に、ステップＳ４２７において、編集情報共有サーバ１−１は、利用者側録画再生装置２Ｂ−５からの要求に応じて、対象の編集情報（プレイリスト）３２６を検索する。
【０１５７】
次いで、ステップＳ４３０において、編集情報共有サーバ１−１は、要求対象の編集情報で示されるコンテンツ（プレイリストを再生するために必要なコンテンツ）の再生権を要求元（ユーザまたは利用者側録画再生装置２Ｂ−５）が有しているか否かを判断する。なお未放送番組については、放送時に録画等により再生権を正規に取得することができるので、編集情報共有サーバ１−１は、利用者側録画再生装置２Ｂ−５が対象の放送番組を受信可能な状態であるか否かに応じて再生権の判断を行ってもよい。
【０１５８】
そして、必要なコンテンツの再生権を要求元が持っていると判断されると、ステップＳ４３３において、編集情報共有サーバ１−１は、対象の編集情報（プレイリスト）３２６を利用者側録画再生装置２Ｂ−５に送信する。
【０１５９】
続いて、ステップＳ４３６において、利用者側録画再生装置２Ｂ−５は、プレイリスト（編集情報３２６）を受信（ダウンロード）する。
【０１６０】
次に、ステップＳ４３９において、利用者側録画再生装置２Ｂ−５の視聴・録画スケジュール生成部２５０ｂは、プレイリスト（編集情報３２６）と、放送番組表、および編成ルールに基づいて、プレイリストに含まれる各コンテンツの視聴方法（生視聴、連続視聴等）を判断する。例えば、視聴・録画スケジュール生成部２５０ｂは、生放送番組の場合は生視聴、映画／ドラマ／スポーツ等は連続視聴、と判断する。
【０１６１】
次いで、ステップＳ４４２において、視聴・録画スケジュール生成部２５０ｂは、判断結果および生活パターン情報を参照して、視聴・録画スケジュールを作成する。具体的な視聴・録画スケジュールの作成について図１４を参照して説明する。
【０１６２】
例えば、生活パターン情報により１８時以降にユーザが視聴可能である場合（または１８時以降は視聴できることをユーザが入力した場合）、プレイリスト（編集情報３２６）のうち生放送番組である番組４２は編成ルールに従って生視聴と判断されるため、図１４右に示すように、１８：１０から番組４２を再生（生視聴）するスケジュールとされる。これにより、１８：００から放送される番組４１を生視聴することができないので、番組４１を録画するよう録画スケジュールが作成される。
【０１６３】
また、ネットレンタル可能な映画４４は、編成ルールに従うと連続視聴と判断される。ここで、映画４４の再生時間が例えば２時間の場合、番組４２の生視聴が終わる１８：４５から映画４４を再生すると終了時間が２０：４５になるが、ユーザの生活パターンによれば２０：００からは食事時間のため、連続視聴ができない。そこで、視聴・録画スケジュール生成部２５０ｂは、再生時間が短い他の番組で２０：００までの視聴スケジュールを調整する。
【０１６４】
例えば図１４右に示すように、録画した番組４１を、番組４２の生視聴が終わる１８：４５から再生する視聴スケジュールとする。この場合、番組４１は３０分間あるので、番組４１の再生終了が１９：１５となる。この場合、１９：００から放送の番組４３を生視聴することができないので、番組４３を録画する録画スケジュールが生成される。
【０１６５】
そして、録画した番組４３は、例えば録画した番組４２の視聴が終わる１９：１５から再生する視聴スケジュールとすることで、２０：００までに番組４３の再生が終了する。
【０１６６】
また、食事時間後の２１：００からは、２３：００の入浴時間まで２時間あるので、視聴・録画スケジュール生成部２５０ｂは、図１４右に示すように、映画４４を再生するスケジュールを生成する。この場合、２２：００から放送の番組４５を生視聴することができないので、番組４５を録画する録画スケジュールが生成される。なお後述する入浴時間後の２３：３０から就寝時間の２５：００までは１時間半しかないため映画４４を連続視聴することができず、食事時間後の２１：００から映画４４を再生するスケジュールが最適となる。
【０１６７】
入浴時間後の２３：３０からは、録画した番組４５を再生する視聴スケジュールとすることで、番組４５の再生時間は１時間であるので、就寝時間の２５：００までに再生を終了することができる。
【０１６８】
以上図１４を参照して説明したように、視聴・録画スケジュール生成部２５０ｂは、プレイリストに含まれる各コンテンツの情報（放送開始・終了時間、放送内容、再生時間等）、編成ルール、および生活パターンに基づいて、視聴・録画を調整し、ユーザに最適な視聴・録画スケジュールを生成する。
【０１６９】
次に、ステップＳ４４５において、録画制御部２２０ｂは、視聴・録画スケジュール生成部２５０ｂにより生成された録画スケジュールに従って放送番組の録画制御を行う。
【０１７０】
また、ステップＳ４４８において、再生制御部２４０ｂは、視聴・録画スケジュール生成部２５０ｂにより生成された視聴（再生）スケジュールに従って各コンテンツの再生制御を行う。
【０１７１】
以上説明したように、第５の実施形態によれば、プレイリストに含まれる各コンテンツについて、ユーザの生活パターン等に応じて最適な視聴・録画スケジュールを生成し、実行することができる。
【０１７２】
＜２−６．第６の実施形態＞
続いて、本開示による第６の実施形態について図１５〜図１６を参照して説明する。本実施形態では、編集情報をＳＮＳ（Ｓｏｃｉａｌ  Ｎｅｔｗｏｒｋｉｎｇ  Ｓｅｒｖｉｃｅ）等を利用してシェアされた場合に、当該ＳＮＳ上でのユーザによる評価に応じて、録画再生装置２から編集情報共有サーバ１に対して自動的に編集情報の要求を行うことが可能である。
【０１７３】
（２−６−１．構成）
図１５は、第６の実施形態による編集情報共有システムの各構成を示すブロック図である。図１５に示すように、第６の実施形態による編集情報共有システムは、提供者側録画再生装置２Ａ−６と、利用者側録画再生装置２Ｂ−６と、編集情報共有サーバ１−６と、ＳＮＳサーバ６と、ユーザ端末８とがネットワーク４を介して接続されて構成される。
【０１７４】
提供者側録画再生装置２Ａ−６は、投稿設定制御部２６０ａを有する。投稿設定制御部２６０ａは、生成された編集情報３２０をＳＮＳ等への投稿指示と共に編集情報共有サーバ１−６に送信するよう制御する。
【０１７５】
編集情報共有サーバ１−６は、図１５に示すように、制御部１０−６、通信部１１、編集情報ＤＢ１２を有する。制御部１０−６は、閲覧処理部１１０、マッチング部１２０、および投稿制御部１６０として機能する。
【０１７６】
投稿制御部１６０は、提供者側録画再生装置２Ａ−６からのＳＮＳ等投稿指示に従って、送信された編集情報３２０を含む投稿情報３９０をＳＮＳサーバ６に送信するよう制御する。
【０１７７】
ＳＮＳサーバ６は、図１５に示すように、投稿情報受付部６０、閲覧制御部６１、および投稿情報ＤＢ６２を有する。投稿情報受付部６０は、編集情報共有サーバ１−６から送信された投稿情報３９０を投稿情報ＤＢ６２に格納することで、投稿情報の受付を行う。
【０１７８】
投稿情報ＤＢ６２には、編集情報共有サーバ１−６や各種情報処理装置（ＰＣ、スマートフォン、タブレット端末等）から送信され、投稿情報受付部６０により受け付けられた投稿情報が格納されている。
【０１７９】
閲覧制御部６１は、各種情報処理装置からのアクセスに応じて、投稿情報ＤＢ６２に格納されている投稿情報から形成される記事一覧／タイムライン（１以上の投稿情報を時系列に並べた画面）の画面情報を送信するよう制御する。例えば、閲覧制御部６１は、ユーザ端末８からのアクセスに応じて、投稿情報から形成される記事一覧／タイムラインの画面情報３９２を送信する。
【０１８０】
ユーザ端末８は、スマートフォン、タブレット端末、ＰＣ等の情報処理装置であって、利用者側録画再生装置２Ｂ−６の使用者（ユーザ）に利用され得る。ユーザ端末８は、ネットワーク４を介して接続するＳＮＳサーバ６から受信した記事一覧／タイムラインの画面情報３９２に基づいて、図１５に示すように表示部８１に記事一覧／タイムラインの画面を表示させる。記事一覧／タイムラインの画面に表示される投稿情報（記事）は、編集情報３２０により形成され、例えば編集情報３２０のタイトルや要約、依存するコンテンツ等が含まれる。
【０１８１】
ユーザは、ユーザ端末８の表示部８１で記事一覧／タイムラインを閲覧し、気に入った投稿や視聴したい投稿に対して評価を入力することができる。具体的には、例えば図１５に示すように、投稿情報の記事８２に含まれる、好みであることを示す評価ボタン８２１をタップして評価を入力する。
【０１８２】
かかる評価ボタン８２１のタップにより、対象投稿情報をユーザが好むことが意思表示されると、ユーザ端末８は、当該投稿情報の取り込みを、利用者側録画再生装置２Ｂ−６に指示する。
【０１８３】
利用者側録画再生装置２Ｂ−６は、編集情報要求制御部２７０ｂを有する。編集情報要求制御部２７０ｂは、ユーザ端末８からの編集情報取り込み指示に従って、編集情報共有サーバ１−６に対して編集情報の要求を行うよう制御する。また、利用者側録画再生装置２Ｂ−６は、要求に応じて編集情報を編集情報共有サーバ１−６から受信すると、受信した編集情報３２０に基づいてコンテンツ編集を行い、再生を行う。このように、ＳＮＳでシェアされた編集情報に対してユーザが好みを示す評価入力を行うと、利用者側録画再生装置２Ｂ−６により自動的に対象編集情報の取得が行われる。
【０１８４】
（２−６−２．動作処理）
続いて、第６の実施形態による動作処理について図１６を参照して説明する。図１６は、第６の実施形態による編集情報共有システムの動作処理を示すシーケンス図である。図１６に示すように、まず、ステップＳ５０３〜Ｓ５０９において、提供者側録画再生装置２Ａ−５は、取得した素材コンテンツを編集し、編集内容を示す編集情報に対して、公開用のメタ情報を付与する。
【０１８５】
次に、ステップＳ５１２において、提供者側録画再生装置２Ａ−５の投稿設定制御部２６０ａは、ＳＮＳ等への投稿指示を編集情報に付与する。ＳＮＳ等への投稿指示には、例えば投稿先のＳＮＳの指定や、パスワード、ユーザＩＤ等の情報が含まれる。
【０１８６】
続いて、ステップＳ５１５において、投稿設定制御部２６０ａは、投稿指示と共に編集情報を編集情報共有サーバ１−６に送信する。
【０１８７】
次いで、ステップＳ５１８〜Ｓ５２４において、編集情報共有サーバ１−６の制御部１０−６は、受信した編集情報を編集情報ＤＢ１２に格納し、また、受信した編集情報に基づいて編集情報検索／閲覧用情報を生成し、編集情報を検索／ダウンロード用に公開する。
【０１８８】
次に、ステップＳ５２７において、編集情報共有サーバ１−６の投稿制御部１６０は、提供者側録画再生装置２Ａ−６からの投稿指示に従って、編集情報を含む投稿情報をＳＮＳサーバ６に送信（投稿）する。
【０１８９】
次いで、ステップＳ５３０において、ＳＮＳサーバ６の投稿情報受付部６０は、編集情報共有サーバ１−６から送信された投稿情報の受付を行う。
【０１９０】
次に、ステップＳ５３３において、閲覧制御部６１は、ネットワーク上で投稿情報（記事）の公開を行う。
【０１９１】
続いて、ステップ５３６において、ユーザ端末８は、ＳＮＳサーバ６にアクセスして記事／タイムラインの画面情報を取得し、取得した情報に基づいて記事／タイムラインの画面を表示する。これにより、ユーザは投稿情報（記事）を閲覧することができる。
【０１９２】
次に、ステップＳ５３９において、ユーザ端末８は、ユーザによる投稿情報に対する評価を受け付ける。
【０１９３】
次いで、ステップＳ５４２において、ユーザ端末８は、ユーザの好みであることを示す評価が入力された対象投稿情報で示される編集情報の取り込みを行うよう利用者側録画再生装置２Ｂ−６に指示する。
【０１９４】
次に、ステップＳ５４７において、利用者側録画再生装置２Ｂ−６は、編集情報取り込み指示のコマンドを受付け、ステップＳ５５０において、編集情報要求制御部２７０ｂにより編集情報の取得要求を編集情報共有サーバ１−６に対して行う。
【０１９５】
続いて、ステップＳ５５３において、編集情報共有サーバ１−６の制御部１０−６は、利用者側録画再生装置２Ｂ−６からの要求に応じて、対象の編集情報を編集情報ＤＢ１２から検索する。
【０１９６】
次いで、ステップＳ５５６において、マッチング部１２０は、要求対象の編集情報を再現するために必要なコンテンツの再生権を要求元が有しているか否かを判断する。
【０１９７】
次に、要求元が再生権を持っていることを確認できると、ステップＳ５５９において、制御部１０−６は、対象の編集情報を利用者側録画再生装置２Ｂ−６に送信する。なお編集情報を再現するために必要なコンテンツに未放送番組が含まれる場合、未放送番組の再生権は、番組放送時に録画等により正規に取得することができるので、マッチング部１２０は、利用者側録画再生装置２Ｂ−６が対象の放送番組を受信可能な状態であるか否かに応じて再生権の判断を行ってもよい。
【０１９８】
そして、ステップＳ５６２において、利用者側録画再生装置２Ｂ−６は、編集情報共有サーバ１−６から編集情報を受信（ダウンロード）する。
【０１９９】
次いで、ステップＳ５６５において、利用者側録画再生装置２Ｂ−６は、受信した編集情報に基づいてコンテンツを編集し、ステップＳ５６８において、表示装置３Ｂ等の各種出力装置で再生する。
【０２００】
以上説明したように、第６の実施形態によれば、ＳＮＳでシェアされた編集情報の記事（投稿情報）に対して、好みの評価を行うと、利用者側録画再生装置２Ｂ−６により自動的に対象の編集情報の取得が行われる。
【０２０１】
なお、ＳＮＳサーバ６への投稿情報の送信は、編集情報共有サーバ１−６を介す方法に限定されず、例えば提供者側録画再生装置２Ａ−６から直接送信してもよいし、ＰＣ／スマートフォン等の情報処理装置によりＷｅｂブラウザやアプリケーションを介して送信してもよい。この場合、提供者側録画再生装置２Ａ−６は、別途、編集情報を編集情報共有サーバ１−６に送信する。
【０２０２】
また、編集情報の取り込みは、ユーザ端末８から利用者側録画再生装置２Ｂ−６に指示する方法に限定されず、例えばユーザ端末８からＳＮＳサーバ６を介して編集情報共有サーバ１−６に対して利用者側録画再生装置２Ｂ−６への編集情報の送信を指示してもよい。
【０２０３】
＜２−７．第７の実施形態＞
次に、本開示による第７の実施形態について図１７〜図１８を参照して説明する。本実施形態では、利用者側録画再生装置２Ｂにおいて、リミックスコンテンツの編集情報に含まれる構成コンテンツリスト（編集情報が依存するコンテンツ）の取得制御が可能となる。
【０２０４】
図１７は、第７の実施形態による編集情報共有システムの主要構成を示すブロック図である。図１７に示すように、第７の実施形態による編集情報共有システムは、利用者側録画再生装置２Ｂ−７と、編集情報共有サーバ１−１と、がネットワーク４を介して接続されて構成される。なお、編集情報共有サーバ１−１には、提供者側録画再生装置２Ａから編集情報が送信されるが、ここでは提供者側録画再生装置２Ａの図示を省略している。
【０２０５】
編集情報共有サーバ１−１の構成は第１実施形態と同様であるので、ここでの説明は省略する。
【０２０６】
利用者側録画再生装置２Ｂ−７は、図１７に示すように、主制御部２０ｂ−７、操作ＵＩ２１ｂ、通信部２２ｂ、編集情報ＤＢ２７ｂ、コンテンツＤＢ２８ｂ、放送番組受信部２９ｂ、および予約情報記憶部２３ｂを有する。操作ＵＩ２１ｂ、通信部２２ｂ、編集情報ＤＢ２７ｂ、コンテンツＤＢ２８ｂ、放送番組受信部２９ｂ、および予約情報記憶部２３ｂは、図２を参照して説明した同符号の構成と同様である。
【０２０７】
主制御部２０ｂ−７は、編集制御部２１０ｂ、録画制御部２２０ｂ、予約制御部２３０ｂ、再生制御部２４０ｂ、再生権獲得制御部２８０ｂとして機能する。編集制御部２１０ｂ、録画制御部２２０ｂ、予約制御部２３０ｂ、および再生制御部２４０ｂは、図２を参照して説明した同符号の構成と同様である。
【０２０８】
再生権獲得制御部２８０ｂは、編集情報の要求に応じて編集情報共有サーバ１−１から取得したリミックスコンテンツの編集情報３２８に基づいて、当該編集情報３２８に含まれるコンテンツの再生権の獲得を実行する。ここで、編集情報３２８は、一例として複数のコンテンツを編集して生成されたリミックスコンテンツの編集内容を示すものとする。以下、図１８を参照して再生権の獲得制御について具体的に説明する。
【０２０９】
図１８は、第７の実施形態による再生権獲得制御について説明するための図である。図１８に示すように、編集情報３２８は、複数のコンテンツを編集して生成されるリミックスコンテンツであって、再生権獲得制御部２８０ｂは、構成コンテンツリストに従って各コンテンツの再生権の獲得制御を行う。
【０２１０】
編集情報３２８に含まれる構成コンテンツリストには、図１８に示すように、放送済番組と放送予定番組が含まれる。なお、構成コンテンツリストに含まれる各番組の情報は、放送番組表を参照して取得されてもよいし、編集情報３２８に含まれていてもよい。
【０２１１】
例えば編集情報３２８を取得したのが６月７日現在の場合、図１８に示すように、番組ａと番組ｂは、６月６日、７日にそれぞれ放送済である。ここで、６月７日の番組ｂについては予め録画が行われ、コンテンツＤＢ２８ｂに格納されている場合、再生権は既に正規に取得していると言える。一方、番組ａは放送済であって、かつ、録画が行われていなかったため、再生権が取得できていない。この場合、再生権獲得制御部２８０ｂは、番組ａを正規に閲覧可能なストリーミングサイトを検索し、ストリーミング再生を可能とすることで、再生権の獲得を実現することができる。
【０２１２】
次いで、番組ｃ〜番組ｆは、６月８日以降に放送される予定の番組であるので、再生権獲得制御部２８０ｂは、予約制御部２３０ｂに対してこれらの番組の録画予約を行うよう指示する。これにより、再生権獲得制御部２８０ｂは、番組ｃ〜番組ｆが放送された際に再生権の獲得を実現することができる。なお構成コンテンツリストに未放送の番組が含まれ得る理由としては、地域によって番組の放送時間が異なることや、未放送の番組に対しても放送内容が事前に番組情報から把握でき編集対象とすることが可能であるためである。
【０２１３】
また、構成コンテンツリストに含まれる映画コンテンツについては、映画コンテンツのレンタルが正規に可能なレンタルサイト等を検索し、レンタル再生を可能とすることで、再生権の獲得を実現することができる。
【０２１４】
以上説明したように、第７の実施形態では、再生権獲得制御部２８０ｂにより、リミックスコンテンツの編集情報に含まれる構成コンテンツリストに従って各コンテンツの再生権の獲得が実現される。そして、各コンテンツの再生権獲得後、編集制御部２１０ｂにより各コンテンツに対して編集を行い、再生制御部２４０ｂにより編集情報の再生（編集情報に従って編集されたリミックスコンテンツの再生）が行われる。図１８に示す構成コンテンツリストの場合、６月１０の放送予定番組ｆの録画が行われた後、全てのコンテンツの再生権が揃うと、編集情報３２８に基づくコンテンツの編集が行われる。
【０２１５】
＜２−８．第８の実施形態＞
次に、本開示による第８の実施形態について図１９〜図２０を参照して説明する。本実施形態では、編集情報が依存するコンテンツの再生権を提供者側が購入し、当該再生権を編集情報のリンクと共に利用者側に送信することが可能となる。
【０２１６】
（２−８−１．構成）
図１９は、第８の実施形態による編集情報共有システムの主要構成を示すブロック図である。図１９に示すように、第８の実施形態による編集情報共有システムは、提供者側録画再生装置２Ａ−８と、再生権管理サーバ７と、編集情報共有サーバ１−１と、利用者側録画再生装置２Ｂ−８と、がネットワーク４を介して接続されて構成される。なお、編集情報共有サーバ１−１の構成は、第１の実施形態と同様のため、ここでは説明を省略する。また、提供者側録画再生装置２Ａ−８、利用者側録画再生装置２Ｂ−８では、主制御２０ａ、２０ｂによる主要な機能構成部のみを示す。
【０２１７】
具体的には、提供者側録画再生装置２Ａ−８は、再生権情報取得制御部２９０ａと、再生権送信制御部３００ａとを有する。再生権情報取得制御部２９０ａは、編集に用いられたコンテンツの再生権を譲渡用に購入（取得）するよう制御する。具体的には、再生権情報取得制御部２９０ａは、購入の意思と購入対象のコンテンツを示す購入情報４１０を再生権管理サーバ７に送信する。これにより、提供者側録画再生装置２Ａ−８は、再生権（再生権情報３８２）を取得することができる。
【０２１８】
再生権送信制御部３００ａは、再生権管理サーバ７から取得した再生権情報３８２と、編集情報共有サーバ１−１に送信した編集情報３２０へのリンク情報とを含むメッセージ４２０を譲渡先の利用者側録画再生装置２Ｂ−８に送信するよう制御する。
【０２１９】
再生権管理サーバ７は、再生権販売処理部７１、再生権ＤＢ７２、および再生権情報生成部７３を有する。再生権販売処理部７１は、提供者側録画再生装置２Ａ−８から送信された購入情報４１０に応じて、再生権情報生成部７３に対して販売用の再生権情報の生成と、提供者側録画再生装置２Ａ−８への送信を指示する。
【０２２０】
再生権ＤＢ７２は、各種コンテンツの再生権を格納する記憶部である。具体的には、各種コンテンツの再生権を販売する際に必要な情報が格納される。
【０２２１】
再生権情報生成部７３は、再生権販売処理部７１からの指示に従って、再生権ＤＢ７２に格納されている対象のコンテンツの再生権に基づいて、譲渡用の再生権情報を生成する。譲渡用の再生権情報は、いわゆるコンテンツの再生チケットであって、例えば有効期限や再生回数、再生機器、編集内容等が制限されていてもよい。
【０２２２】
利用者側録画再生装置２Ｂ−８は、提供者側録画再生装置２Ａ−８から受信したメッセージ４２０に基づいて、編集情報共有サーバ１−１に対して再生権情報３８２を送信すると共に、リンクされた編集情報の検索要求を行う。また、利用者側録画再生装置２Ｂ−８は、再生権情報３８２により再生が許可されるコンテンツを、コンテンツ販売／レンタルサイト等から収集する。
【０２２３】
また、利用者側録画再生装置２Ｂ−８は、編集情報共有サーバ１−１から編集情報３２０を返信されると、再生制御部２４１ｂにより編集情報３２０の再生を行う。具体的には、再生制御部２４１ｂは、受信した編集情報３２０が依存するコンテンツ（構成コンテンツ）に対して、編集情報３２０に従って編集処理を行った上で再生するよう制御する。
【０２２４】
（２−８−２．動作処理）
続いて、第８の実施形態による動作処理について図２０を参照して説明する。図２０は、第８の実施形態による編集情報共有システムの動作処理を示すシーケンス図である。図２０に示すように、まず、ステップＳ６０３〜Ｓ６０９において、提供者側録画再生装置２Ａ−８は、取得した素材コンテンツを編集し、編集内容を示す編集情報に対して、公開用のメタ情報を付与する。
【０２２５】
次に、ステップＳ６１２において、提供者側録画再生装置２Ａ−８は、編集情報を編集情報共有サーバ１−１に送信する。
【０２２６】
次いで、ステップＳ６１５〜６２１において、編集情報共有サーバ１−１は、編集情報を受信し、受信した編集情報に基づいて編集情報検索／閲覧用情報を生成し、編集情報を検索／ダウンロード用に公開する。
【０２２７】
続いて、ステップＳ６２７において、編集したコンテンツ（リミックスコンテンツ）の再生に必要な再生権を購入するための手続きを再生権管理サーバ７に対して行う。具体的には、再生権情報取得制御部２９０ａが、再生権管理サーバ７に対して、購入の意思と購入対象のコンテンツを示す購入情報４１０を送信する。
【０２２８】
次に、ステップＳ６３０において、再生権管理サーバ７の再生権販売処理部７１は、受信した購入情報４１０に応じて、再生権情報生成部７３に対して販売用の再生権情報の生成と、提供者側録画再生装置２Ａ−８への送信を指示する。
【０２２９】
次いで、ステップＳ６３３において、再生権管理サーバ７の再生権情報生成部７３は、再生権販売処理部７１からの指示に従って生成した再生権情報（再生チケット）を、提供者側録画再生装置２Ａ−７に発行する処理を行う。
【０２３０】
次に、ステップＳ６３６において、提供者側録画再生装置２Ａ−７は、再生権情報を取得すると、続くステップＳ６３９において、再生権情報と編集情報のリンクを含むメッセージを利用者側録画再生装置２Ｂ−７に送信する。
【０２３１】
次いで、ステップＳ６４２において、利用者側録画再生装置２Ｂ−７は、再生権情報およびリンクを含むメッセージ４２０を受信する。
【０２３２】
次に、ステップＳ６４５において、利用者側録画再生装置２Ｂ−７は、メッセージ４２０に基づいて、再生権情報を伴ってリンクされた編集情報の検索要求を編集情報共有サーバ１−１に対して行う。
【０２３３】
次いで、ステップＳ６４８〜Ｓ６５４において、編集情報共有サーバ１−１は、利用者側録画再生装置２Ｂ−７からの要求に応じて、対象の編集情報を検索し、検索した編集情報を再現するために必要なコンテンツの再生権を要求元が有しているか否かを判断する。具体的には、本実施形態では検索要求と共に再生権情報が送信されているので、編集情報共有サーバ１−１は、当該再生権情報と、検索した（要求対象の）編集情報を構成するコンテンツのマッチングを行う。
【０２３４】
次に、要求元が再生権を持っていることを確認できると、ステップＳ６５４において、編集情報共有サーバ１−１は、検索した（要求対象の）編集情報を利用者側録画再生装置２Ｂ−７に送信する。
【０２３５】
そして、ステップＳ６５７において、利用者側録画再生装置２Ｂ−７は、編集情報共有サーバ１−１から編集情報を受信（ダウンロード）し、ステップＳ６６０において、受信した編集情報に基づいて編集したコンテンツを再生する。
【０２３６】
以上説明したように、第８の実施形態によれば、自分が編集したリミックスコンテンツを再生する際に必要な再生権を購入し、知人等に譲渡することができる。これにより、コンテンツの実体を送受信することなく、知人等が利用する利用者側録画再生装置２Ｂ−８において、提供者が編集したリミックスコンテンツを再生することができる。
【０２３７】
＜＜３．まとめ＞＞
上述したように、本開示の実施形態による編集情報共有システムは、コンテンツ再生権の有無に応じて編集情報の送信を制御することで、編集情報の共有と共にコンテンツ再生権の管理も併せて行うことが可能である。
【０２３８】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３９】
例えば、上述した提供者側録画再生装置２Ａ、利用者側録画再生装置２Ｂ、または編集情報共有サーバ１に内蔵されるＣＰＵ、ＲＯＭ、およびＲＡＭ等のハードウェアに、提供者側録画再生装置２Ａ、利用者側録画再生装置２Ｂ、または編集情報共有サーバ１の機能を発揮させるためのコンピュータプログラムも作成可能である。また、当該コンピュータプログラムを記憶させたコンピュータ読み取り可能な記憶媒体も提供される。
【０２４０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２４１】
なお、本技術は以下のような構成も取ることができる。
（１）
コンテンツデータに対する編集情報を受信する通信部と、
前記編集情報を蓄積する蓄積部と、
前記通信部を介して外部装置より受信する、前記編集情報を要求する要求情報に含まれる要求元の識別情報に対応するコンテンツ利用権に応じて、前記編集情報を前記外部装置に返信するか否かを制御する制御部と、
を備える、情報処理装置。
（２）
前記制御部は、前記通信部を介して受信した前記外部装置の機器情報に応じて、前記編集情報のフォーマットを変換する、前記（１）に記載の情報処理装置。
（３）
前記制御部は、前記通信部を介して受信する少なくとも一の外部装置からの編集情報の要求に応じて、複数の外部装置に対するそれぞれの編集情報を生成し、当該複数の外部装置に送信するよう制御する、前記（１）または（２）に記載の情報処理装置。
（４）
前記通信部は、クライアント装置で複数のコンテンツを用いて作成されたリミックスコンテンツの格納場所と、利用された前記複数のコンテンツの識別情報を受信し、
前記制御部は、当該複数のコンテンツの利用権を保有する前記外部装置から前記通信部を介して受信される、前記複数のコンテンツの利用権付きの前記リミックスコンテンツの再生要求に応じて、前記リミックスコンテンツの格納場所を示すリンク情報を、前記外部装置に返信するように制御する、前記（１）〜（３）のいずれか１項に記載の情報処理装置。
（５）
前記通信部は、クライアント装置から、編集情報としてのコンテンツ識別情報から成るプレイリストを受信し、
前記制御部は、前記通信部を介して外部装置より受信する、前記プレイリストを要求する要求情報に含まれる要求元の識別情報に対応するコンテンツ利用権に応じて、前記通信部を介して当該プレイリストを当該外部装置に返信するか否かを制御する、前記（１）〜（４）のいずれか１項に記載の情報処理装置。
（６）
特定のコンテンツデータに対応する編集情報を要求する要求情報をサーバ装置に送信する通信部と、
コンテンツデータの利用権を記憶する記憶部と、
前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、
を備える、情報処理装置。
（７）
前記制御部は、前記編集情報としてのプレイリストの最適な視聴スケジュールを自動的に生成する、前記（６）に記載の情報処理装置。
（８）
前記制御部は、前記サーバ装置からソーシャルネットワークサーバに提供された前記編集情報の投稿記事に対して評価が入力されたことをトリガとして、前記サーバ装置に前記編集情報を要求するよう制御する、前記（６）に記載の情報処理装置。
（９）
前記制御部は、所望する編集情報が参照するコンテンツデータのうち、コンテンツ利用権がないコンテンツデータのコンテンツ利用権を取得するためのアクションをスケジューリングする、前記（６）〜（８）のいずれか１項に記載の情報処理装置。
（１０）
前記通信部を介して、
所定の編集情報の利用に必要なコンテンツ利用権を再生権管理サーバから取得し、
前記コンテンツ利用権を、前記所定の編集情報へのリンクとともに、特定のクライアント装置に送信する、前記（６）〜（９）のいずれか１項に記載の情報処理装置。
（１１）
コンテンツデータに対する編集情報を受信することと、
前記編集情報を蓄積することと、
外部装置より受信する、前記編集情報を要求する要求情報に含まれる要求元の識別情報に対応するコンテンツ利用権に応じて、前記編集情報を前記外部装置に返信するか否かを制御することと、
を含む、制御方法。
（１２）
コンピュータを、
特定のコンテンツデータに対応する編集情報を要求する要求情報をサーバ装置に送信する通信部と、
コンテンツデータの利用権を記憶する記憶部と、
前記通信部を介して受信した前記要求情報に対応する編集情報が参照するコンテンツデータの利用権が前記記憶部に記憶されているか否かに応じて、前記編集情報を利用して当該コンテンツデータを再生するよう制御する制御部と、
として機能させるためのプログラムが記憶された、記憶媒体。
【符号の説明】
【０２４２】
１、１−１〜１−４、１−１’、１−６    編集情報共有サーバ
１０    制御部
１１０    閲覧処理部
１２０、１２０ａ    マッチング部
１３０、１３２    編集情報変換部
１４０    振り分け部
１６０    投稿制御部
１１    通信部
１２    編集情報ＤＢ
１４    コンテンツ関連情報ＤＢ
２Ａ、２Ａ−１、２Ａ−１’、２Ａ−４〜２Ａ−８    提供者側録画再生装置
２Ｂ、２Ｂ−１、２Ｂ−１ｘ、２Ｂ−１ｙ、２Ｂ−１’、２Ｂ−４〜２Ｂ−８    利用者側録画再生装置
２０ａ、２０ｂ    主制御部
２１０ａ、２１０ｂ    編集制御部
２２０ａ、２２０ｂ    録画制御部
２３０ａ、２３０ｂ    予約制御部
２４０ａ、２４０ｂ、２４１ｂ    再生制御部
２５０ａ、２５０ｂ    視聴・録画スケジュール生成
２６０ａ    投稿設定制御部
２７０ｂ    編集情報要求制御部
２８０ｂ    再生権獲得制御部
２９０ａ    再生権情報取得制御部
３００ａ    再生権送信制御部
２１ａ、２１ｂ    操作ＵＩ
２２ａ、２２ｂ    通信部
２３ａ、２３ｂ    予約情報記憶部
２７ａ、２７ｂ    編集情報ＤＢ
２８ａ、２８ｂ    コンテンツＤＢ
２９ａ、２９ｂ    放送番組受信部
３１ａ、３１ｂ    生活パターン情報ＤＢ
３２ａ、３２ｂ    放送番組表ＤＢ
３３ａ、３３ｂ    編成ルールＤＢ
３２０、３２６    編集情報
３２４    編集情報のカタログ
３２８    リミックスコンテンツの編集情報
３２２、３２２−１、３２２−２    変換済編集情報
３３０、３３０−１、３３０−２    機器情報
３４０、３４０−１、３４０−２    連携情報
３５０    リミックスコンテンツ
３６０    構成情報
３７０    リミックスコンテンツの格納場所情報
３８０、３８２    再生権情報
４１０    購入情報
４    ネットワーク
４０    放送番組表
４１、４２、４３、４５    放送番組
４４    映画コンテンツ
５    コンテンツサーバ
５０    制御部
５１    通信部
５２    リミックスコンテンツＤＢ
７    再生権管理サーバ
７１    再生権販売処理部
７２    再生権ＤＢ
７３    再生権情報生成部
８    ユーザ端末
８１    表示部
８２    記事
８２１    評価ボタン
【図１】
2015156606.tif 000003
【図２】
2015156606.tif 000004
【図３】
2015156606.tif 000005
【図４】
2015156606.tif 000006
【図５】
2015156606.tif 000007
【図６】
2015156606.tif 000008
【図７】
2015156606.tif 000009
【図８】
2015156606.tif 000010
【図９】
2015156606.tif 000011
【図１０】
2015156606.tif 000012
【図１１】
2015156606.tif 000013
【図１２】
2015156606.tif 000014
【図１３】
2015156606.tif 000015
【図１４】
2015156606.tif 000016
【図１５】
2015156606.tif 000017
【図１６】
2015156606.tif 000018
【図１７】
2015156606.tif 000019
【図１８】
2015156606.tif 000020
【図１９】
2015156606.tif 000021
【図２０】
2015156606.tif 000022